(57)【要約】【課題】本発明は、装置の電源オフ後のファンの騒音の影響を抑止してユーザーの不快感を軽減することができる映像表示装置を提供することを目的とするものである。【解決手段】制御部１１の設定部２１には、電源オフ時のタイマ設定（オフタイマ設定又はスリープ設定）が記憶されている。そして、電源オフ指示があった場合に判定部２２がタイマ設定の有無を判定し、タイマ設定による電源オフの場合には、動作制御部２０はファン９及び１０を低速回転動作するように駆動回路１８に制御信号を送信する。【選択図】図４
2006119196.tif 000002
【特許請求の範囲】
【請求項１】
表示部に映像を表示させる表示処理部と、前記表示処理部の熱源を冷却するファンと、前記ファンを回転駆動する駆動手段と、前記駆動手段を駆動制御する制御部とを備えた映像表示装置において、前記制御部は、電源オフ時のタイマ設定の有無を判定する判定手段と、前記判定手段が設定有りと判定した場合に電源オフ処理後の前記ファンの回転数を低下させるよう前記駆動手段を制御するファン制御手段とを備えていることを特徴とする映像表示装置。
【請求項２】
前記ファン制御手段は、前記ファンの回転数を段階的に低下させるように前記駆動手段を制御することを特徴とする請求項１に記載の映像表示装置。
【発明の詳細な説明】
【技術分野】
【０００１】
本発明は、プロジェクションテレビ等のテレビジョン受像機、プロジェクタ等の投影装置、録画された映像音声情報を表示するためのＶＣＲ、ＤＶＤ又はＨＤＤ等を備えた録画再生表示装置といった映像表示装置に関する。
【背景技術】
【０００２】
上述した映像表示装置では、映像を鮮明に表示するために高電圧を用いていることから、大量の熱が発生するようになり、こうした熱の影響を抑えるために冷却手段としてファンが用いられている。ファンを回転して熱源に送風することで、効率よく熱を外部に逃がすことができ、コスト負担も少ないことから、複数のファンを用いられることもある。しかしながら、映像表示装置は、住宅内といった静穏な環境に設置されることが多いことから、ファンの回転に伴う騒音が問題となってくる。
【０００３】
そこで、ファンの回転に伴う騒音を低減する対策が提案されている。例えば、特許文献１では、投影装置において、輝度レベルが高いほど対応する液晶パネルのファンの回転数を下げ、音声レベルが高いほどファンの回転数を上げ、光源ランプの累積点灯時間が長いほどファンの回転数を下げるようにして、ファンの不必要な騒音を低減するようにした点が記載されている。
【特許文献１】特開２００２−２３２６７号公報
【発明の開示】
【発明が解決しようとする課題】
【０００４】
上述した特許文献１では、投影装置が動作している間のファンの回転制御について記載されているが、動作終了後については特に述べられていない。すなわち、映像表示装置では、電源がオフされて動作が終了しても、熱源の熱がただちに放熱されることはなく、徐々に冷却されていくため、その間ファンを回転させて冷却を継続する必要がある。したがって、装置の電源オフ後もファンが回転して騒音が発生するようになり、電源オフ後に就寝する場合等に特にその騒音が問題となる。
【０００５】
そこで、本発明は、装置の電源オフ後のファンの騒音の影響を抑止してユーザーの不快感を軽減することができる映像表示装置を提供することを目的とするものである。
【課題を解決するための手段】
【０００６】
本発明に係る映像表示装置は、表示部に映像を表示させる表示処理部と、前記表示処理部の熱源を冷却するファンと、前記ファンを回転駆動する駆動手段と、前記駆動手段を駆動制御する制御部とを備えた映像表示装置において、前記制御部は、電源オフ時のタイマ設定の有無を判定する判定手段と、前記判定手段が設定有りと判定した場合に電源オフ処理後の前記ファンの回転数を低下させるよう前記駆動手段を制御するファン制御手段とを備えていることを特徴とする。さらに、前記ファン制御手段は、前記ファンの回転数を段階的に低下させるように前記駆動手段を制御することを特徴とする。
【発明の効果】
【０００７】
上記のような構成を有することで、判定手段が電源オフ時のタイマ設定有りと判定した場合に電源オフ処理後のファンの回転数を低下させるよう駆動手段を制御するので、装置の電源オフ後はファンの騒音が小さくなって騒音の影響を抑止することができる。特に、住宅内等の静穏な環境ではファンから発生する騒音は耳につきやすいことから、ファンの回転数を低下させることで静穏な環境に与える影響を極力抑えることが可能となる。また、判定手段が電源オフ時のタイマ設定の有無に基づいて判定を行うようにすれば、就寝時に電源オフ時のタイマ設定が行われることが多いことから、就寝時でのファンの騒音をできるだけ抑えてユーザーに与える不快感を小さくすることができる。
【０００８】
また、ファン制御手段がファンの回転数を段階的に低下させるように制御すれば、冷却効率を維持した状態でファンの騒音を小さくすることができる。すなわち、電源オフ直後では熱源からの発熱が続いており、この状態でファンの回転数を急激に低下させると熱源の蓄熱が進み装置に悪影響が生じる場合があるが、段階的に回転数を低下させることで、電源オフ直後の熱源の発熱に対して十分な冷却を行いながら回転数を順次低下させて騒音を小さくすることができる。
【発明を実施するための最良の形態】
【０００９】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１０】
図１は、本発明に係る実施形態であるリアプロジェクション装置の概略全体斜視図を示している。リアプロジェクション装置１は、本体筐体２の前面にはスクリーン３が取り付けられており、本体筐体２内の後面には反射ミラー４がスクリーン３側に傾斜して取り付けられている。そして、本体筐体２の底面には光学ユニット５が配置されている。光学ユニット５から投射される映像は、反射ミラー４によりスクリーン３に反射されて、スクリーン３の後面に映像が投影されてスクリーン３の前面側に映像が表示されるようになる。
【００１１】
図２は、図１のＡ−Ａ断面を右から見た図を示しており、図３は、図２のＢ−Ｂ断面を上から見た図を示している。光学ユニット５は、本体筐体２の底面を構成する金属製のシャーシフレーム６に配置されており、本体筐体２内の前面に突設された支持体７に光学ユニット５の前面が固定されている。図示されていないが、光学ユニット５内には光源用のランプが設けられており、ランプから出射された光をダイクロックミラーを用いて赤、緑、青の三原色に分離し、各色に対応する液晶パネルにより画像化してプリズムで再び合成し、映像を投射レンズ８から出射するようになっている。こうした光学ユニットは公知のものである。
【００１２】
図３に示すように、光学ユニット５は、本体筐体２のシャーシフレーム６のほぼ中央部に配置されており、右側（図３は上方）にファン９が取り付けられ、後側（図３では左方）にファン１０が取り付けられている。ファン９は、三原色の光学処理を行う液晶パネル部分を冷却するためのもので、ファン１０は光源用ランプ収納部の上方に配置されており、収納部内の熱を図示せぬダクトを通して外部に排気するようにされている。
【００１３】
光源用ランプとしては、放電ランプが用いられており、約１０００Ｖの高電圧が印加されるため、発熱量が大きく動作中には常時ファン１０からの送風により冷却する必要がある。液晶パネル部分には、ランプからの光に常時照射されるため発熱するようになり、やはりファン９からの送風により常時冷却して熱の影響が出ないようにする必要がある。
【００１４】
図４は、リアプロジェクション装置１の回路ブロック構成図を示している。装置１は、装置全体の制御を行う制御部１１、テレビジョン放送信号を受信するチューナ１２、チューナ１２から受信した音声信号に基づいて音声情報処理を行う音声処理回路１３、音声情報処理回路１３から出力信号に基づいて音声を出力するスピーカ１４、チューナ１２から受信した映像信号に基づいて映像情報処理を行う映像処理回路１５を備えており、制御部１１、チューナ１２、音声処理回路１３及び映像処理回路１５は、データバス１６により互いに接続されて情報を送受信するようになっている。また、ユーザの操作により操作情報を発信するリモコン１７から出力された信号は、制御部１１に送信されて操作情報に応じた処理がなされる。光学ユニット５に取り付けられたファン９及び１０を回転駆動する駆動回路１８は、制御部１１から駆動制御信号が送信されて制御されるようになっている。
【００１５】
制御部１１は、データバス１６を介してチューナ１２等の回路及び駆動回路１８の動作を制御する動作制御部２０、リモコン１７から送信された各種設定情報を記憶して設定処理を行う設定部２１、電源オフ、タイマー設定の有無等を判定する判定部２２、動作制御部２０からの制御信号に基づいて所定の時間をカウントするタイマ２３を備えている。
【００１６】
装置の電源がオフされる際のタイマ設定としては、オフタイマ設定及びスリープ設定が挙げられる。オフタイマ設定は、所定の時刻に電源オフするように設定するもので、例えば、図５のような設定画面で設定操作が行われる。図５では、表示された設定画面には、オフタイマ設定をするか否かをＯＮ、ＯＦＦで選択するようになっており、初期設定はＯＦＦとなっている。次に、時刻の入力欄に電源をオフする時刻を入力するようになっており、この例ではＰＭ１１：３０に電源オフされるように設定されている。そして、オフタイマ設定により電源オフされた後のファンの回転動作が選択できるようになっている。「通常」が選択された場合には、装置が動作している間と同様の回転動作になり、例えば、毎分３０００回転で２分間回転動作が行われる。「低速回転」が選択された場合には、ファンの回転速度が低下し、例えば、毎分１５００回転で４分間回転動作が行われる。「低速回転」を選択すると、ファンの回転速度が低下するので、その分通常の場合に比べてファンから発生する騒音を小さくすることができる。また、ファンの回転速度が低下すると、ファンの送風による放熱効果が弱くなるので、その分回転時間が通常の場合に比べ長く設定されている。
【００１７】
スリープ設定は、所定時間経過後に電源オフするように設定するもので、図６のような設定画面でファンの回転動作設定が行われる。図６では、設定画面の右上に表示されているように、既に６０分経過後に電源オフするようにスリープ設定がなされていることが表示され、画面の下部にファンの低速回転動作の選択を促す表示がなされる。ＯＮを選択すれば上述したファンの低速回転動作が選択され、ＯＦＦを選択すればファンの通常回転動作が選択されるようになる。
【００１８】
以上のような設定は、リモコン１７を操作して行われ、設定された情報は設定部２１に記憶されて電源オフが指示された際に読み出して設定された情報に基づいて処理される。
【００１９】
図７は、装置の電源がオフされた場合のファン動作処理を示している。まず、電源オフの指示がなされたか否か判定部２２でチェックする（Ｓ１００）。電源オフの指示は、リモコン１７の電源キーの操作による場合及びオフタイマ設定又はスリープ設定といった設定操作による場合があるが、いずれかの電源オフの指示がなされたか否かをチェックする。そして、タイマ設定の有無を判定部２２でチェックし（Ｓ１０１）、タイマ設定である場合にはその設定においてファンの回転動作が低速回転に設定されているかチェックする（Ｓ１０２）。そして、低速回転が設定されている場合には、タイマ設定により電源オフ処理された（Ｓ１０３）後、動作制御部２０は、低速回転速度（例えば毎分１５００回転）でファンを回転動作するように駆動回路１８に制御信号を送信し、ファンは低速回転を開始するようになる（Ｓ１０４）。ファンの回転動作開始とともに低速設定時間（例えば４分）を設定部２１から読み出して（Ｓ１０５）設定時間としてセットする。
【００２０】
次に、タイマ２３のカウントを開始し（Ｓ１０６）、タイマ２３のカウント値がセットした設定時間以上となったか否かチェックする（Ｓ１０７）。設定時間以上となった場合にファンの回転を停止し（Ｓ１０８）、終了する。
【００２１】
ステップＳ１０１でタイマ設定による電源オフ指示でない場合及びステップＳ１０２で低速回転が設定されていない場合には、電源オフ処理した（Ｓ１０９）後、動作制御部２０は、通常回転速度（例えば毎分３０００回転）でファンを回転動作するように駆動回路１８に制御信号を送信し、ファンは通常回転を開始するようになる（Ｓ１１０）。そして、ファンの回転動作開始と共に通常設定時間（例えば２分間）を読み出して（Ｓ１１１）設定時間としてセットし、ステップＳ１０６に進む。
【００２２】
以上説明した例では、電源オフ時のタイマ設定がある場合に、低速回転が設定されているかチェックしているが、タイマ設定がある場合に自動的に低速回転するように設定することもできる。その場合には、ステップＳ１０２の処理を省略すればよい。
【００２３】
また、駆動回路１８がファンの低速回転を行う場合には、例えばファンに供給される駆動用電圧を低下させるようにすればよい。通常回転動作（毎分３０００回転）時に駆動用電圧として１２Ｖを供給している場合には、低速回転動作（毎分１５００回転）時には６Ｖに低下させるようにする。
【００２４】
駆動回路１８は、通常回転動作及び低速回転動作の２つのパターンで制御されるようになっているが、低速回転動作において回転速度を複数段階に変化させるようにしてもよい。例えば、通常回転動作時に毎分６０００回転する場合に、低速回転動作として、毎分４５００回転及び毎分１５００回転の２つのパターンで行うようにすれば、低速回転動作に入った直後は毎分４５００回転で回転させて放熱効果を高くし、冷却が進んだ段階で毎分１５００回転に低下させて騒音をより小さくするようにできる。このように、装置の熱源の特性に応じて低速回転動作の回転速度を適宜設定すれば、放熱を効率的に行いながら騒音を小さくすることができる。
【００２５】
以上のように、電源オフ時のタイマ設定の有無に基づいてファンの低速回転制御を行うようにしているので、電源オフ後のファンの騒音がユーザーに与える不快感を抑えることができる。特に、電源オフ時のタイマ設定が就寝時に行われることが多いことから、ファンの騒音が耳につきやすいが、騒音の影響をできるだけ小さくすることが可能となる。
【００２６】
なお、以上の例では、電源オフ時のタイマ設定によりファンの回転制御を行っているが、それ以外の設定で回転制御するようにしてもよい。例えば、録画再生装置が一体となった映像表示装置では、予約録画の設定がなされるようになっているが、予約録画時に映像が表示されていない場合には、熱源からの発熱が小さいためファンを低速回転動作して騒音を小さくすることができる。特に、予約録画が夜中に設定される場合等に有効である。
【図面の簡単な説明】
【００２７】
【図１】本発明に係る実施形態に関する概略全体斜視図である。
【図２】図１のＡ−Ａ断面を右から見た図である。
【図３】図２のＢ−Ｂ断面を上から見た図である。
【図４】本発明に係る実施形態に関する回路構成ブロック図である。
【図５】オフタイマ設定画面の説明図である。
【図６】スリープ設定画面の説明図である。
【図７】ファンの動作処理フローである。
【符号の説明】
【００２８】
１    装置本体
２    本体筐体
３    スクリーン
４    反射ミラー
５    光学ユニット
６    シャーシフレーム
８    投射レンズ
９    ファン
10    ファン
11    制御部
12    チューナ
13    音声処理回路
14    スピーカ
15    映像処理回路
17    リモコン
18    駆動回路
20    動作制御部
21    設定部
22    判定部
23    タイマ
【図１】
2006119196.tif 000003
【図２】
2006119196.tif 000004
【図３】
2006119196.tif 000005
【図４】
2006119196.tif 000006
【図５】
2006119196.tif 000007
【図６】
2006119196.tif 000008
【図７】
2006119196.tif 000009
【手続補正書】
【提出日】平成17年1月17日(2005.1.17)
【手続補正１】
【補正対象書類名】特許請求の範囲
【補正対象項目名】全文
【補正方法】変更
【補正の内容】
【特許請求の範囲】
【請求項１】
表示部に映像を表示させる表示処理部と、前記表示処理部の熱源を冷却するファンと、前記ファンを回転駆動する駆動手段と、前記駆動手段を駆動制御する制御部とを備えた映像表示装置において、前記制御部は、電源オフ時のタイマ設定の有無を判定する判定手段と、前記判定手段が設定有りと判定した場合に電源オフ処理後の前記ファンの回転数を低下させるとともに通常よりも長い設定時間回転するよう前記駆動手段を制御するファン制御手段とを備えていることを特徴とする映像表示装置。
【請求項２】
前記ファン制御手段は、前記ファンの回転数を段階的に低下させるように前記駆動手段を制御することを特徴とする請求項１に記載の映像表示装置。
【手続補正２】
【補正対象書類名】明細書
【補正対象項目名】０００６
【補正方法】変更
【補正の内容】
【０００６】
本発明に係る映像表示装置は、表示部に映像を表示させる表示処理部と、前記表示処理部の熱源を冷却するファンと、前記ファンを回転駆動する駆動手段と、前記駆動手段を駆動制御する制御部とを備えた映像表示装置において、前記制御部は、電源オフ時のタイマ設定の有無を判定する判定手段と、前記判定手段が設定有りと判定した場合に電源オフ処理後の前記ファンの回転数を低下させるとともに通常よりも長い設定時間回転するよう前記駆動手段を制御するファン制御手段とを備えていることを特徴とする。さらに、前記ファン制御手段は、前記ファンの回転数を段階的に低下させるように前記駆動手段を制御することを特徴とする。
【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
表示部に映像を表示させる表示処理部と、前記表示処理部の熱源を冷却するファンと、前記ファンを回転駆動する駆動手段と、前記駆動手段を駆動制御する制御部とを備えた映像表示装置において、前記制御部は、電源オフ時のタイマ設定の有無を判定する判定手段と、前記判定手段が設定有りと判定した場合に電源オフ処理後の前記ファンの回転数を段階的に低下させるとともに通常よりも長い設定時間回転するよう前記駆動手段を制御するファン制御手段とを備えていることを特徴とする映像表示装置。
【手続補正２】
【補正対象書類名】明細書
【補正対象項目名】０００６
【補正方法】変更
【補正の内容】
【０００６】
本発明に係る映像表示装置は、表示部に映像を表示させる表示処理部と、前記表示処理部の熱源を冷却するファンと、前記ファンを回転駆動する駆動手段と、前記駆動手段を駆動制御する制御部とを備えた映像表示装置において、前記制御部は、電源オフ時のタイマ設定の有無を判定する判定手段と、前記判定手段が設定有りと判定した場合に電源オフ処理後の前記ファンの回転数を段階的に低下させるとともに通常よりも長い設定時間回転するよう前記駆動手段を制御するファン制御手段とを備えていることを特徴とする。
【手続補正書】
【提出日】平成18年2月13日(2006.2.13)
【手続補正１】
【補正対象書類名】特許請求の範囲
【補正対象項目名】全文
【補正方法】変更
【補正の内容】
【特許請求の範囲】
【請求項１】
表示部に映像を表示させる表示処理部と、前記表示処理部の熱源を冷却するファンと、前記ファンを回転駆動する駆動手段と、前記駆動手段を駆動制御する制御部とを備えた映像表示装置において、前記制御部は、電源オフ時のタイマ設定及び前記ファンの低回転の設定の有無を判定する判定手段と、前記判定手段が設定有りと判定した場合に電源オフ処理後の前記ファンの回転数を段階的に低下させるとともに通常よりも長い設定時間回転するよう前記駆動手段を制御するファン制御手段とを備えていることを特徴とする映像表示装置。
【手続補正２】
【補正対象書類名】明細書
【補正対象項目名】０００６
【補正方法】変更
【補正の内容】
【０００６】
本発明に係る映像表示装置は、表示部に映像を表示させる表示処理部と、前記表示処理部の熱源を冷却するファンと、前記ファンを回転駆動する駆動手段と、前記駆動手段を駆動制御する制御部とを備えた映像表示装置において、前記制御部は、電源オフ時のタイマ設定及び前記ファンの低回転の設定の有無を判定する判定手段と、前記判定手段が設定有りと判定した場合に電源オフ処理後の前記ファンの回転数を段階的に低下させるとともに通常よりも長い設定時間回転するよう前記駆動手段を制御するファン制御手段とを備えていることを特徴とする。